(57)【要約】【課題】降雨時における屋根の雨仕舞の向上を図りつつ、十分な換気を行うことが可能な片流れ屋根の換気構造の提供。【解決手段】建物本体２上に設けられ、外装材２０の表面よりも若干突出するようにして棟部１０を有する片流れ屋根１の換気構造において、片流れ屋根１は、この片流れ屋根１の内部空間を利用した換気通路１１と、棟部１０において下方に開口して換気通路１１と外部とを連通する換気口１２とを備え、棟部１０には、この棟部１０を包み込む棟包み５が取り付けられ、この棟包み５は、棟部１０の端面に当接固定されて外装材２０の上端部まで垂下する垂下部７０と、この垂下部７０に接続され、外装材２０の表面から所定の隙間Ｓをあけて設けられる通気部６０とを備えており、通気部６０は、隙間Ｓに向かって水平方向に開口するとともに、換気口１２を介して換気通路１１と屋外とを連通している。【選択図】図１
2008081968.tif 000002
【特許請求の範囲】
【請求項１】
建物本体上に設けられ、この建物本体に取り付けられた外装材の表面よりも若干突出するようにして棟部を有する片流れ屋根の換気構造において、
前記片流れ屋根は、この片流れ屋根の内部空間を利用した換気通路と、前記棟部において下方に開口して前記換気通路と外部とを連通する換気口とを備えており、
前記棟部には、この棟部を包み込むための棟包みが取り付けられ、この棟包みは、前記棟部の端面に当接固定されて外装材の上端部まで垂下する垂下部と、この垂下部に接続され、前記外装材の表面から所定の隙間をあけて設けられる通気部とを備えており、
前記通気部は、前記隙間に向かって水平方向に開口するとともに、前記換気口を介して前記換気通路と屋外とを連通していることを特徴とする片流れ屋根の換気構造。
【請求項２】
請求項１に記載の片流れ屋根の換気構造において、
前記棟包みは、前記建物本体の上端部に固定され、前記通気部を有する第１金具と、この第１金具と接続され、前記垂下部を有する第２金具と、この第２金具と接続されるとともに屋根面に固定され、前記棟部の頂部を覆うようにして下方に屈曲する第３金具とからなり、
前記第２金具は、この第２金具によって前記第１金具を覆うようにして設けられ、前記第３金具は、この第３金具によって前記第２金具の上端部を覆うようにして設けられていることを特徴とする片流れ屋根の換気構造。
【請求項３】
請求項２に記載の片流れ屋根の換気構造において、
前記第２金具は、この第２金具の下端部から下方へ突出する水切り片を備え、この水切り片によって遮蔽された位置に、前記第１金具と第２金具との接続箇所が設けられ、
前記第３金具は、下方へ突出する水切り片を備えていることを特徴とする片流れ屋根の換気構造。
【請求項４】
請求項２または３に記載の片流れ屋根の換気構造において、
前記第１金具は、前記隙間を挟んで通気部と対向する位置に、前記外装材に沿って垂下する板状部材を備え、この板状部材には、板状部材の下端部から外方に突出する突出板部が設けられるとともに、高温時に膨張することによって前記隙間を閉塞する熱発泡材が設けられていることを特徴とする片流れ屋根の換気構造。
【請求項５】
請求項１〜４のいずれか一項に記載の片流れ屋根の換気構造において、
前記片流れ屋根は、縦框材および横框材を矩形枠状に組み立ててなる矩形枠と、この矩形枠の上面に取り付けた面材とを備えた建築用屋根パネルによって構成されており、
前記換気口は、前記棟部に位置する横框材を、前記建物本体の上端部よりも外部側に位置させることによって形成されていることを特徴とする片流れ屋根の換気構造。
【発明の詳細な説明】
【技術分野】
【０００１】
本発明は、建物本体上に設けられた片流れ屋根の換気構造に関する。
【背景技術】
【０００２】
片流れ屋根は、一方向にだけ勾配のある単純な構造の屋根であって、一般に棟部分が鋭角に尖った状態となっている。このような片流れ屋根を有する住宅等の建物としては、例えば特許文献１に開示されているものがある。
【０００３】
また、特許文献１に記載のような片流れ屋根を備えた建物では、例えば屋根の棟部付近の壁部に通気孔を設けるなどして部屋や小屋裏空間の換気が行われる。
このような通気孔は、屋内外を連通する貫通孔を形成するとともに、この貫通孔に円筒状のスリーブを挿通して形成されている。また、通気孔の外側には、下向きに開口する丸型のベントキャップが取り付けられ、降雨時における屋内への雨水の浸入を防ぐことができるようになっている（例えば、特許文献２参照）。
【特許文献１】特開２００２−００４５９７号公報
【特許文献２】特開平０８−２７８０５４号公報
【発明の開示】
【発明が解決しようとする課題】
【０００４】
ところで、例えば台風などの程度の強い風雨時においては、外壁にぶつかった風が、外壁表面に沿って下方から上方へ吹き上がる場合があり、このような風とともに雨水も下方から上方へと吹き上がる場合がある。
そして、このように雨水が外壁表面に沿って上昇してしまうと、上記特許文献２のようなベントキャップは下向きに開口しているため、雨水が屋内や小屋裏空間へと浸入しやすい場合があり、程度の強い風雨に対して十分な防水性を発揮することができない場合があった。
【０００５】
本発明の課題は、降雨時における屋根の雨仕舞の向上を図りつつ、十分な換気を行うことが可能な片流れ屋根の換気構造を提供することを目的とする。
【課題を解決するための手段】
【０００６】
請求項１に記載の発明は、例えば図１および図２に示すように、建物本体２上に設けられ、この建物本体２に取り付けられた外装材２０の表面よりも若干突出するようにして棟部１０を有する片流れ屋根１の換気構造において、
前記片流れ屋根１は、この片流れ屋根１の内部空間を利用した換気通路１１と、前記棟部１０において下方に開口して前記換気通路１１と外部とを連通する換気口１２とを備えており、
前記棟部１０には、この棟部１０を包み込むための棟包み５が取り付けられ、この棟包み５は、前記棟部１０の端面に当接固定されて外装材２０の上端部まで垂下する垂下部７０と、この垂下部７０に接続され、前記外装材２０の表面から所定の隙間Ｓをあけて設けられる通気部６０とを備えており、
前記通気部６０は、前記隙間Ｓに向かって水平方向に開口するとともに、前記換気口１２を介して前記換気通路１１と屋外とを連通していることを特徴とする。
【０００７】
請求項１に記載の発明によれば、前記片流れ屋根１が、前記換気通路１１と換気口１２とを備え、前記棟部１０を包み込む棟包み５が、前記垂下部７０と通気部６０とを備えていることから、風の吹き上げが起きた際においても雨水が屋内や小屋裏へと浸入することを確実に防ぐことができる。
すなわち、吹き上がった風雨は、まず、前記通気部６０の位置で水平方向に向きを換えて垂下部７０の内側に浸入し、その後、水平方向に浸入してから更に上昇して前記換気口１２に向かおうとするが、雨水は上昇速度が低下して前記換気口１２にほとんど達しない。したがって、前記換気通路１１に雨水が浸入しないので、屋内や小屋裏に雨水が浸入するのを防止できる。
また、前記通気部６０は、前記換気口１２を介して前記換気通路１１と屋外とを連通しているので、この通気部６０によって屋内と屋外とを確実に連通させることができる。これによって、降雨時における屋根の雨仕舞の向上を図りつつ、十分な換気を行うことが可能となる。
【０００８】
請求項２に記載の発明は、例えば図１に示すように、請求項１に記載の片流れ屋根１の換気構造において、
前記棟包み５は、前記建物本体２の上端部に固定され、前記通気部６０を有する第１金具６と、この第１金具６と接続され、前記垂下部７０を有する第２金具７と、この第２金具７と接続されるとともに屋根面に固定され、前記棟部１０の頂部を覆うようにして下方に屈曲する第３金具８とからなり、
前記第２金具は、この第２金具によって前記第１金具を覆うようにして設けられ、前記第３金具は、この第３金具によって前記第２金具の上端部を覆うようにして設けられていることを特徴とする。
【０００９】
請求項２に記載の発明によれば、前記第２金具７が、この第２金具７によって前記第１金具６を覆うようにして設けられるので、前記第１金具６が固定される建物本体２の上端部付近の防水性を高めることができるとともに、第１金具６の固定箇所を遮蔽して外観性の向上を図ることができる。また、前記第３金具８が、この第３金具８によって前記第２金具７の上端部を覆うようにして設けられるので、前記第２金具７の垂下部７０が固定される棟部１０の端面の防水性を高めることができるとともに、第２金具７の固定箇所を遮蔽して外観性の向上を図ることができる。
【００１０】
さらに、前記第１金具６を建物本体２の上端部に固定してから、前記第２金具７の垂下部７０を棟部１０の端面に固定し、その後、前記第３金具８を屋根面に固定するので、例えば棟包み５を一体的に形成した場合に比して、個々の金具を確実、かつ強固に固定することが可能となり、延いては、前記棟包み５を確実、かつ強固に固定することが可能となる。
【００１１】
請求項３に記載の発明は、例えば図１に示すように、請求項２に記載の片流れ屋根１の換気構造において、
前記第２金具７は、この第２金具７の下端部から下方へ突出する水切り片７１を備え、この水切り片７１によって遮蔽された位置に、前記第１金具６と第２金具７との接続箇所が設けられ、
前記第３金具８は、下方へ突出する水切り片８０を備えていることを特徴とする。
【００１２】
請求項３に記載の発明によれば、前記第２金具７は、この第２金具７の下端部から下方へ突出する水切り片７１を備えているので、この水切り片７１を伝うようにして雨水等の水滴を積極的に下方に落とすことができ、屋内や小屋裏への雨水の浸入をより確実に防ぐことができる。
また、前記第２金具７の水切り片７１によって遮蔽された位置に、前記第１金具６と第２金具７との接続箇所が設けられるので、より外観性の向上を図ることができる。
【００１３】
一方、前記第３金具８は、下方へ突出する水切り片８０を備えているので、この水切り片８０を伝うようにして雨水等の水滴を積極的に下方に落とすことができ、屋内や小屋裏への雨水の浸入をより確実に防ぐことができる。
【００１４】
請求項４に記載の発明は、例えば図１に示すように、請求項２または３に記載の片流れ屋根１の換気構造において、
前記第１金具６は、前記隙間Ｓを挟んで通気部６０と対向する位置に、前記外装材２０に沿って垂下する板状部材６１を備え、この板状部材６１には、板状部材６１の下端部から外方に突出する突出板部６１ａが設けられるとともに、高温時に膨張することによって前記通気部６０と板状部材６１との間の隙間Ｓを閉塞する熱発泡材６２が設けられていることを特徴とする。
【００１５】
請求項４に記載の発明によれば、前記第１金具６は、前記隙間Ｓを挟んで通気部６０と対向する位置に前記板状部材６１を備え、この板状部材６１には前記突出板部６１ａが設けられているので、これら板状部材６１および突出板部６１ａと前記通気部６０との間に、断面視略Ｌ字状の通気経路を形成することができる。すなわち、雨水が浸入するためには、より複雑な経路を辿らなければならず、その上、前記突出板部６１ａによって前記外装材２０に沿って上昇する風雨を確実に遮ることができるので、風の吹き上げが起きた際に、雨水が屋内や小屋裏へと浸入することを確実に防ぐことができる。
【００１６】
また、前記板状部材６１には前記熱発泡材６２が設けられているので、例えば隣家からの延焼等の際に、その炎により前記熱発泡材６２が加熱されて発泡し、膨張することによって前記通気部６０と板状部材６１との間の隙間Ｓを閉塞するため、確実な防火作用を得ることができる。
【００１７】
請求項５に記載の発明は、例えば図１に示すように、請求項１〜４のいずれか一項に記載の片流れ屋根１の換気構造において、
前記片流れ屋根１は、縦框材３０および横框材３１を矩形枠状に組み立ててなる矩形枠と、この矩形枠の上面に取り付けた面材３２とを備えた建築用屋根パネル３によって構成されており、
前記換気口１２は、前記棟部１０に位置する横框材３１を、前記建物本体２の上端部よりも外部側に位置させることによって形成されていることを特徴とする。
【００１８】
請求項５に記載の発明によれば、前記棟部１０に位置する横框材３１を、前記建物本体２の上端部よりも外部側に位置させるだけで、前記換気口１２を容易に形成することができるので、前記建物本体２の上端部に建築用屋根パネル３を設置する作業と、換気口１２を形成する作業とを同時に行うことができる。しかも、このように換気口１２を容易に形成することができるので、従来のように壁部に貫通孔を形成したり等の作業を省略することができ、作業効率が良い。
【００１９】
また、前記片流れ屋根１が建築用屋根パネル３によって構成されているので、この建築用屋根パネル３に、予め前記棟包み５等の付属品を取り付けておくことができるので、さらに作業効率が良く、また、前記建物本体２が前記建築用屋根パネル３と同質のパネルで構成されたものである場合に、建築用屋根パネル３と建物本体２とを容易に連結することができる。
【発明の効果】
【００２０】
本発明によれば、降雨時における屋根の雨仕舞の向上を図りつつ、十分な換気を行うことが可能となる。
【発明を実施するための最良の形態】
【００２１】
以下、図面を参照して本発明の実施の形態について説明する。
【００２２】
（第１の実施の形態）
本実施の形態の片流れ屋根１の換気構造は、図１および図２に示すように、建物本体２上に設けられ、この建物本体２に取り付けられた外装材２０の表面よりも若干突出するようにして棟部１０を有するものであり、
前記片流れ屋根１は、この片流れ屋根１の内部空間を利用した換気通路１１と、前記棟部１０において下方に開口して前記換気通路１１と外部とを連通する換気口１２とを備えており、
前記棟部１０には、この棟部１０を包み込むための棟包み５が取り付けられ、この棟包み５は、前記棟部１０の端面に当接固定されて外装材２０の上端部まで垂下する垂下部７０と、この垂下部７０に接続され、前記外装材２０の表面から所定の隙間Ｓをあけて設けられる通気部６０とを備えており、
前記通気部６０は、前記隙間Ｓに向かって水平方向に開口するとともに、前記換気口１２を介して前記換気通路１１と屋外とを連通している。
【００２３】
ここで、本実施の形態の建物本体２は、壁パネル２・床パネル・小屋パネル等の建築用パネルを組み合わせて構成されており、図１に示すように、本実施の形態において建物本体２を示す建築用壁パネル２（以下、壁パネル２）の上端部に、本実施の形態において前記片流れ屋根１を構成する建築用屋根パネル３（以下、屋根パネル３）が設置された状態となっている。そして、図２に示すように、建物Ａ上に片流れ屋根１が設けられた状態となっている。
また、前記屋根パネル３の上面には、この屋根パネル３の上面を覆う葺き板材３３が葺かれており、一方の前記壁パネル２には、この壁パネル２の表面を覆う外装材２０が取り付けられている。
【００２４】
なお、前記建築用パネルとは、縦框材および横框材が矩形枠状に組み立てられるとともに、この矩形枠の両面もしくは片面に、面材が貼設されたものであり、内部中空な構造となっている。すなわち、この内部中空な構造を利用して、前記換気通路１１が設けられている。
【００２５】
また、前記壁パネル２の上端部には、この壁パネル２と前記屋根パネル３との間に、屋根パネル３の角度を調整する角度調整材２１が設けられている。さらに、前記屋根パネル３は、前記角度調整材２１と同様の角度で前記屋根パネル３を壁パネル２に固定する屋根固定部材３４によって、前記壁パネル２に固定されている。
さらに、前記屋根パネル３の端部を、前記建物本体２の上端部に設置することによって、前記片流れ屋根１の棟部１０が形成されている。
【００２６】
また、本実施の形態の屋根パネル３は、図１に示すように、縦框材３０および横框材３１を矩形枠状に組み立ててなる矩形枠と、この矩形枠の上面に取り付けた面材３２とを備えて構成されており、前記棟部１０に位置する横框材３１を、前記建物本体２の上端部、すなわち前記角度調整材２１よりも外部側に位置させることによって、前記換気口１２が形成されている。
【００２７】
そして、このように前記棟部１０に位置する横框材３１を、前記壁パネル２の上端部よりも外部側に位置させるだけで、前記換気口１２を容易に形成することができるので、前記壁パネル２の上端部に屋根パネル３を設置する作業と、換気口１２を形成する作業とを同時に行うことができる。しかも、このように換気口１２を容易に形成することができるので、従来のように壁部に貫通孔を形成したり等の作業を省略することができ、作業効率が良い。
さらに、前記屋根パネル３に、予め前記棟包み５等の付属品を取り付けておくことができるので、さらに作業効率が良い。また、前記壁パネル２が前記屋根パネル３と同質のパネルで構成されたものであることから、屋根パネル３と壁パネル２とを容易に連結することができ、延いては、片流れ屋根１を建物Ａ上に容易に設置することができる。
【００２８】
以上のように構成された棟部１０には、上述のように、前記棟包み５が取り付けられ、この棟包み５は、前記棟部１０の端面に当接固定されて外装材２０の上端部まで垂下する垂下部７０と、この垂下部７０に接続され、前記外装材２０の表面から所定の隙間Ｓをあけて設けられる通気部６０とを備えている。
そして、前記通気部６０は、前記隙間Ｓに向かって水平方向に開口するとともに、前記換気口１２を介して前記換気通路１１と屋外とを連通している。
【００２９】
また、前記棟包み５は、前記壁パネル２の上端部に固定され、前記通気部６０を有する第１金具６と、この第１金具６と接続され、前記垂下部７０を有する第２金具７と、この第２金具７と接続されるとともに屋根面に固定され、前記棟部１０の頂部を覆うようにして下方に屈曲する第３金具８とを備えている。
【００３０】
前記第１金具６を前記壁パネル２の上端部に固定する際は、図１に示すように、前記第１金具６の上端部を、前記壁パネル２と外装材２０との間に形成された隙間と同様の厚さ寸法を有する水平板材２２を介して、前記壁パネル２の上端部に設けられた前記角度調整材２１に固定する。また、この第１金具６と前記外装材２０との間には、壁パネル２と外装材２０との間に雨水が浸入することを防ぐ水密材２３が設けられている。
【００３１】
前記第２金具７を前記屋根パネル３の端部に固定する際は、図１に示すように、前記第２金具７の上端部を、前記屋根パネル３の端部に設けられ、この屋根パネル３の端部に鉛直面を形成するための調整部材３５に固定する。
また、この第２金具７の垂下部７０は前記外装材２０の上端部まで垂下しており、この第２金具７の下端部付近において前記第１金具６と第２金具７とが接続されている。この時、前記第２金具７は、この第２金具７によって前記第１金具６を覆うようにして設けられている。
【００３２】
前記第３金具８を前記屋根パネル３の上面に固定する際は、図１に示すように、前記第３金具８の屋根パネル３側の端部を、前記葺き板材３３の上面に取り付けられた棟包み用下地材３６に固定する。この下地材３６は、前記第２金具７の表面よりも大幅に突出しない大きさに形成されており、これによって、第３金具８を必要以上突出させないように納めることができ、外観性の向上を図ることが可能となっている。
また、この第３金具８は前記棟部１０の頂部を覆うようにして下方に屈曲しており、この第３金具８の下端部付近において前記第２金具７と第３金具８とが接続されている。この時、前記第３金具８は、この第３金具８によって前記第２金具７の上端部を覆うようにして設けられている。
【００３３】
そして、以上のように前記第２金具７が、この第２金具７によって前記第１金具６を覆うようにして設けられるので、前記第１金具６が固定される建物本体２の上端部付近の防水性を高めることができるとともに、第１金具６の固定箇所を遮蔽して外観性の向上を図ることができる。
また、前記第３金具８が、この第３金具８によって前記第２金具７の上端部を覆うようにして設けられるので、前記第２金具７の垂下部７０が固定される棟部１０の端面付近の防水性を高めることができる。
【００３４】
さらに、前記第１金具６を建物本体２の上端部に固定してから、前記第２金具７の垂下部７０を棟部１０の端面に固定し、その後、前記第３金具８を屋根面に固定するので、例えば棟包み５を一体的に形成した場合に比して、個々の金具を確実、かつ強固に固定することが可能となり、延いては、前記棟包み５を確実、かつ強固に固定することが可能となっている。
【００３５】
次に、前記棟包み５の細部について、さらに詳細に説明する。
【００３６】
前記第２金具７は、この第２金具７の下端部から下方へ突出する水切り片７１を備え、この水切り片７１によって遮蔽された位置に、前記第１金具６と第２金具７との接続箇所が設けられている。この接続箇所においては、図１に示すように、前記第１金具６の一端と、前記第２金具７の一端とが重なり合っており、この重合部分に、下方から上方に向かって止着材７２がねじ込まれることによって、前記第１金具６と第２金具７とが接続されている。
【００３７】
このように前記第２金具７は、この第２金具７の下端部から下方へ突出する水切り片７１を備えているので、この水切り片７１を伝うようにして雨水等の水滴を積極的に下方に落とすことができ、屋内や小屋裏への雨水の浸入をより確実に防ぐことができる。また、前記第２金具７の水切り片７１によって遮蔽された位置に、前記第１金具６と第２金具７との接続箇所が設けられるので、より外観性の向上を図ることができる。
【００３８】
また、前記第２金具７は、この第２金具７の中央部付近において風当たり部７３が形成されている。この風当たり部７３は、棟方向に沿って設けられ、屋内側に向かって突出しており、風当たり部７３付近を通過する空気が、この風当たり部７３に当たることで風向きが変わり、換気を促進することができるようになっている。また、この風当たり部７３に当たることによって、棟包み５の内部に吹き込む風の勢いを弱めることができるので、屋内や小屋裏への雨水の浸入をより防ぐことができる。
【００３９】
なお、前記止着材７２としては、種々のものが挙げられるが、本実施の形態においてはタッピングねじを用いるものとする。このタッピングねじは、硬度の高いねじ部を備え、強引にねじ込むことで雌ねじが切られていない材料にねじ切りをしながらねじ込んで行くことを可能としたねじであり、材料によっては下孔を開けずにねじ込むことが可能となっている。
このようなタッピングねじを用いることで、前記第１金具６や第２金具７に、下孔をあける必要がないので固定作業に係る手間を省くことができる。
【００４０】
前記第３金具８は、この第３金具８の下端部から下方へ突出する水切り片８０を備え、この水切り片８０の若干上方の位置に、前記第２金具７と第３金具８との接続箇所が設けられている。この接続箇所においては、図１に示すように、前記第２金具７の一端と、前記第３金具８とが重なり合っており、この重合部分に止着材８１がねじ込まれることによって、前記第２金具７と第３金具８とが接続されている。
【００４１】
このように前記第３金具８は、下方へ突出する水切り片８０を備えているので、この水切り片８０を伝うようにして雨水等の水滴を積極的に下方に落とすことができ、屋内や小屋裏への雨水の浸入をより確実に防ぐことができる。
【００４２】
一方、前記第１金具６は、図１に示すように、前記隙間Ｓを挟んで通気部６０と対向する位置に、前記外装材２０に沿って垂下する板状部材６１を備え、この板状部材６１には、板状部材６１の下端部から外方に突出する突出板部６１ａが設けられるとともに、高温時に膨張することによって前記通気部６０と板状部材６１との間の隙間Ｓを閉塞する熱発泡材６２が設けられている。
【００４３】
前記板状部材６１を固定する際は、前記第１金具６と同じく、この板状部材６１の上端部を、前記壁パネル２と外装材２０との間に形成された隙間と同様の厚さ寸法を有する水平板材２２を介して、前記壁パネル２の上端部に設けられた前記角度調整材２１に固定する。
【００４４】
このように前記第１金具６は、前記隙間Ｓを挟んで通気部６０と対向する位置に前記板状部材６１を備え、この板状部材６１には前記突出板部６１ａが設けられているので、これら板状部材６１および突出板部６１ａと前記通気部６０との間に、断面視略Ｌ字状の通気経路を形成することができる。すなわち、雨水が浸入するためには、より複雑な経路を辿らなければならず、その上、前記突出板部６１ａによって前記外装材２０に沿って上昇する風雨を確実に遮ることができるので、風の吹き上げが起きた際に、雨水が屋内や小屋裏へと浸入することを確実に防ぐことができる。
【００４５】
また、前記板状部材６１には前記熱発泡材６２が設けられているので、例えば隣家からの延焼等の際に、その炎により前記熱発泡材６２が加熱されて発泡し、膨張することによって前記通気部６０と板状部材６１との間の隙間Ｓを閉塞するため、確実な防火作用を得ることができる。
【００４６】
本実施の形態の熱発泡材６２は、例えばグラファイト系材料からなり、約２００度以上に熱せられると発泡し、例えば２〜３ｍｍ厚の熱発泡材６２で約１５〜２０倍に膨張する。このため、例えば２〜３ｍｍ厚の熱発泡材６２を用いる場合は、前記通気部６０と板状部材６１との間の隙間Ｓを完全に閉塞するためには、前記通気部６０と板状部材６１との所定間隔の最小の幅が約３０mm以下であることが望ましい。
【００４７】
なお、本実施の形態においては、図１に示すように、各部材を固定する際に各種の止着材が用いられるが、このように止着材が用いられた箇所には、防水処理を行うことが望ましい。
【００４８】
本実施の形態によれば、前記片流れ屋根１が、前記換気通路１１と換気口１２とを備え、前記棟部１０を包み込む棟包み５が、前記垂下部７０と通気部６０とを備えていることから、風の吹き上げが起きた際においても雨水が屋内や小屋裏へと浸入することを確実に防ぐことができる。
すなわち、吹き上がった風雨は、まず、前記通気部６０の位置で水平方向に向きを換えて垂下部７０の内側に浸入し、その後、水平方向に浸入してから更に上昇して前記換気口１２に向かおうとするが、雨水は上昇速度が低下して前記換気口１２にほとんど達しない。したがって、前記換気通路１１に雨水が浸入しないので、屋内や小屋裏に雨水が浸入するのを防止できる。
また、前記通気部６０は、前記換気口１２を介して前記換気通路１１と屋外とを連通しているので、この通気部６０によって屋内と屋外とを確実に連通させることができる。これによって、降雨時における屋根の雨仕舞の向上を図りつつ、十分な換気を行うことが可能となる。
【００４９】
（第２の実施の形態）
次に、図面を参照して本発明の第２の実施の形態について説明する。なお、説明の便宜上、上述した第１の実施の形態とは異なる構成部分のみについて説明する。
【００５０】
本実施の形態においては、片流れ屋根１ａの棟部１０ａに形成される換気口１２ａについて説明する。
すなわち、図３に示すように、壁パネル２ａの上端部に設置され、片流れ屋根１ａを構成する屋根パネル３ａの端部には、複数の補助枠材９０が設けられているとともに、これら補助枠材９０の下面に、これら補助枠材９０を下方から支持する支持板材９０ａが複数取り付けられている。
【００５１】
前記補助枠材９０は、例えば規格化された屋根パネル３ａよりも若干大きな片流れ屋根１ａを構築したい要望があった場合等に用いられる。このように補助枠材９０を屋根パネル３ａの端部に設けることで、屋根パネルを新たに規格化したり、特注品等の作成をしなくて済むので好ましい。
【００５２】
そして、このように補助枠材９０を設けた際の換気口１２ａは、前記屋根パネル３ａの端部に設けられる横框材９０ｂの下端部を切り欠いて凹部９０ｃを形成してなる。そして、図示はしないが、この凹部９０ｃは、棟方向に沿って前記横框材９０ｂの下端部に複数並設されている。
また、これら凹部９０ｃを閉塞しないように、前記複数の支持板材９０ａを、棟方向に沿って前記補助枠材９０の下面に取り付けるようにする。つまり、これら複数の支持板材９０ａによって前記補助枠材９０を支持するとともに、前記換気口１２ａを確実に形成し、かつ確保することができるようになっている。
【００５３】
そして、前記棟部１０ａには、前記屋根パネル３ａの上面から、前記壁パネル２ａの表面に取り付けられた外装材２０ａの上端部にかけて棟部１０ａを覆う棟包み５ａが取り付けられている。
【００５４】
本実施の形態によれば、第１の実施の形態と同じ効果を得ることができるとともに、例えば規格化された屋根パネル３よりも若干大きな片流れ屋根１を構築したい要望があった場合においても、前記換気口１２ａを確実に形成することができるので、この換気口１２ａを介して屋内と屋外とを確実に連通させることができ、十分な換気を行うことが可能となる。
【図面の簡単な説明】
【００５５】
【図１】本発明の片流れ屋根の換気構造を示す側断面図である。
【図２】本発明の片流れ屋根の換気構造が採用された建物を示す斜視図である。
【図３】屋根棟部に形成される換気口の他の実施の形態を示す側断面図である。
【符号の説明】
【００５６】
１  片流れ屋根
２  建物本体（壁パネル）
３  屋根パネル
５  棟包み
１１  換気通路
１２  換気口
６０  通気部
７０  垂下部
【図１】
2008081968.tif 000003
【図２】
2008081968.tif 000004
【図３】
2008081968.tif 000005